(57)【要約】【課題】製造コストを上昇させることなく、飲料の漏れ出しを確実に防止できると共に、飲料の流量の調整もすることができる飲料容器を提供する。【解決手段】容器本体２内の飲料を排出させるための開口部３３を開閉可能にすると共に、飲料の流量を無段階に調整する開閉部４と、これらを覆う蓋部５と、を備え、蓋部には、蓋部による被覆を阻害する阻害部４３、５１が形成され、開閉部に、蓋部による被覆を許容する被覆許容部４３ａが形成され、開閉部は回動し、開口部との位置を変化させることで開口部を閉塞状態又は流量の異なる状態を含む開状態に変化させることができ、開閉部が閉塞状態の位置に配置されたときに、被覆許容部により、蓋部が覆うことができる構成である飲料容器１。【選択図】図２
2014037241.tif 000002
【特許請求の範囲】
【請求項１】
飲料を収容するための容器本体と、
前記容器本体内の飲料を排出させるための開口部と、
前記開口部を開閉可能にすると共に、前記開口部から排出される飲料の流量を無段階に調整することができる開閉部と、
少なくとも、前記開口部及び前記開閉部を覆うことができる蓋部と、を備え、
前記蓋部には、前記蓋部による被覆を阻害する阻害部が形成され、
また、前記開閉部に、前記蓋部による、少なくとも、前記開口部及び前記開閉部の被覆を許容する被覆許容部が形成され、
前記開閉部は回動し、前記開口部との位置を変化させることで前記開口部を閉塞状態又は流量の異なる状態を含む開状態に変化させることができる構成となっており、
前記開閉部が前記閉塞状態の位置に配置されたときに、前記被覆許容部により、前記蓋部が、少なくとも、前記開閉部を覆うことができる構成となっていることを特徴とする飲料容器。
【請求項２】
前記開口部の近傍に使用者が飲料を飲む際に使用する飲み口部を有し、
前記開閉部は、回転することで前記開口部において、その相対位置が前記容器本体側に近接するように移動させられる構成となっていると共に、その移動により、飲料の流量が徐々に増大する構成ともなっていることを特徴とする請求項１に記載の飲料容器。
【請求項３】
前記開閉部が前記閉塞状態の位置に配置されたときに、前記蓋部は、前記飲み口部を被覆し、前記飲み口部と係合可能な構成となっていることを特徴とする請求項２に記載の飲料容器。
【請求項４】
前記開閉部が前記開状態のうち、飲料の最大流量を排出する位置に配置されたとき、前記開閉部の更なる回転を阻害する回転阻害部が形成されていることを特徴とする請求項１乃至請求項３のいずれか１項に記載の飲料容器。
【発明の詳細な説明】
【技術分野】
【０００１】
本発明は、飲料を内部に収容し得る飲料容器に関するものである。
【背景技術】
【０００２】
従来、例えば、乳幼児等が飲料を飲む際に用いるカップ等の飲料容器は、特許文献１に示すような構成となっていた。
このようなカップは、乳幼児等が飲料を飲み易くするための飲み口部が形成され、この飲み口部の近傍には、カップ本体内に収容された飲料を排出するための開口が形成されている。このため、かかるカップを用いることで、乳幼児等は飲料を飲みやすくなっている。
ところで、特許文献１には明記されていないが、このような開口部付きカップを持ち歩くために、その内容物である飲料が外部に漏れ出さないように、開口部を閉塞する閉塞部をカップに設ける提案はなされていた。
【先行技術文献】
【特許文献】
【０００３】
【特許文献１】特許第３９４２３０６号公報（図１等）
【発明の概要】
【発明が解決しようとする課題】
【０００４】
しかし、使用者等が、この閉塞部を確実に閉めることなく、蓋部を閉めて持ち運ぶと、カップ本体内の飲料が、開口部から漏れ出し、蓋部内に溜まり、ひいては蓋部外に漏れ出すという問題があった。
このため、従来は、閉塞部を設けながらも、飲料の漏れ出しを想定して、蓋部のシールを確実にする構成とする必要があり、製造コストが上昇してしまうという問題があった。
また、従来は、閉塞部を開状態にして飲料を開口部から排出する際に、飲料を適切に制御するのが困難であるという問題もあった。
【０００５】
そこで、本発明は、製造コストを上昇させることなく、飲料の漏れ出しを確実に防止できると共に、飲料の流量の調整もすることができる飲料容器を提供することを目的とする。
【課題を解決するための手段】
【０００６】
前記目的は、本発明によれば、飲料を収容するための容器本体と、前記容器本体内の飲料を排出させるための開口部と、前記開口部を開閉可能にすると共に、前記開口部から排出される飲料の流量を無段階に調整することができる開閉部と、少なくとも、前記開口部及び前記開閉部を覆うことができる蓋部と、を備え、前記蓋部には、前記蓋部による被覆を阻害する阻害部が形成され、また、前記開閉部に、前記蓋部による、少なくとも、前記開口部及び前記開閉部の被覆を許容する被覆許容部が形成され、前記開閉部は回動し、前記開口部との位置を変化させることで前記開口部を閉塞状態又は流量の異なる状態を含む開状態に変化させることができる構成となっており、前記開閉部が前記閉塞状態の位置に配置されたときに、前記被覆許容部により、前記蓋部が、少なくとも、前記開閉部を覆うことができる構成となっていることを特徴とする飲料容器により達成される。
【０００７】
前記構成によれば、開閉部が閉塞状態の位置に配置されたときのみ蓋部で開閉部等を被覆することができ、それ以外の位置では、蓋部が開閉部等を被覆することができない。
したがって、飲料容器の使用者が開閉部を閉塞状態に配置しないとき、換言すれば、開閉部が開口部を未だ閉塞状態としていないときは、蓋部を閉めることができない。
このため、使用者は、蓋部が閉まらないことで、開口部が開いている状態であることを認識することができ、この開いている状態で飲料容器をバッグ等内に収容して持ち運び、飲料容器内の飲料が漏れ出すことを未然に防ぐことができる。
また、前記構成では、従来のように、飲料の漏れ出しを想定して、蓋部のシールを確実にする構成を採用する必要がないので、飲料容器の製造コストが上昇することがない。
【０００８】
さらに、前記構成では、開閉部は、容器本体内の飲料の開口部からの流量を無段階に調整することができるので、使用者は、その必要に応じて飲料の流量を適切に調整することができる。
【０００９】
好ましくは、前記開口部の近傍に使用者が飲料を飲む際に使用する飲み口部を有し、前記開閉部は、回転することで前記開口部において、その相対位置が前記容器本体側に近接するように移動させられる構成となっていると共に、その移動により、飲料の流量が徐々に増大する構成ともなっていることを特徴とする。
【００１０】
前記構成によれば、開閉部を開状態にすると開閉部は開口部に対して、その位置が飲料容器本体側へ沈むように移動することになる。
したがって、飲料容器の使用者が、飲料を飲む際、開閉部を操作して開状態にし、その状態で飲み口部に口唇を当て、飲む動作をしたとき、開口部から開閉部が突出することなく、使用者の飲む動作を妨げることがない。
このため、特に、乳幼児等に飲料容器で飲料を飲む練習をさせる場合、突出した開閉部が乳幼児等の鼻に当たったり、視界の妨げになったりして、乳幼児等に不快感等を与えることを防止することができる。
【００１１】
好ましくは、前記開閉部が前記閉塞状態の位置に配置されたときに、前記蓋部は、前記飲み口部を被覆し、前記飲み口部と係合可能な構成となっていることを特徴とする。
【００１２】
前記構成によれば、使用者が開閉部を操作し、開口部を閉塞状態にしたつもりが、開閉部が未だ閉塞状態の位置となっていない場合は、蓋部を操作して、飲み口部を被うように移動させても、蓋部を飲み口部に係合させることができない。
このため、使用者は開口部が閉塞状態でないことを知ることができ、飲料容器内の飲料のバッグ等内への漏れ出し等を未然に防止することができる。
【００１３】
好ましくは、前記開閉部が前記開状態のうち、飲料の最大流量を排出する位置に配置されたとき、前記開閉部の更なる回転を阻害する回転阻害部が形成されていることを特徴とする。
【００１４】
前記構成によれば、使用者が開閉部を操作して、飲料の流量を大となる方向に回転させても、最大まで移動すると回転阻害部で、その回転が阻害される。
したがって、使用者が開閉部を必要以上に回転させ、開閉部が抜け落ちるトラブルの発生を防ぐことができる。
【発明の効果】
【００１５】
本発明は、製造コストを上昇させることなく、飲料の漏れ出しを確実に防止できると共に、飲料の流量の調整もすることができる飲料容器を提供できるという利点がある。
【図面の簡単な説明】
【００１６】
【図１】本発明の実施の形態にかかる飲料容器である例えば、トレーニングコップを示す概略斜視図である。
【図２】図１の上蓋を開いた状態を示す概略平面図である。
【図３】図２の可動栓を示す概略図である。
【図４】可動栓を取り外した中蓋を示す概略平面図である。
【図５】可動栓を取り外した中蓋を示す概略底面図である。
【図６】図２の上蓋突起部等を示す概略図である。
【図７】（ａ）は、可動栓の操作用つまみの配置状態を示す概略であり、（ｂ）は（ａ）のＡ―Ａ‘線概略端面図であり、（ｃ）は、（ａ）のＢ―Ｂ’線概略端面図である。
【図８】（ａ）は、可動栓の操作用つまみの他の配置状態を示す概略であり、（ｂ）は（ａ）のＡ―Ａ‘線概略端面図であり、（ｃ）は、（ａ）のＢ―Ｂ’線概略端面図である。
【図９】（ａ）は、可動栓の操作用つまみの他の配置状態を示す概略であり、（ｂ）は（ａ）のＡ―Ａ‘線概略端面図であり、（ｃ）は、（ａ）のＢ―Ｂ’線概略端面図である。
【図１０】（ａ）は、可動栓の操作用つまみの他の配置状態を示す概略であり、（ｂ）は（ａ）のＡ―Ａ‘線概略端面図であり、（ｃ）は、（ａ）のＢ―Ｂ’線概略端面図である。
【発明を実施するための形態】
【００１７】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１に示す飲料容器である例えば、トレーニングコップ１は、乳幼児等が飲料を飲む練習等をするためのコップである。
トレーニングコップ１は、図１に示すように、乳幼児等が飲む飲料を収容するための容器本体である例えば、コップ本体２を有すると共に、このコップ本体２の開口側（本実施の形態では、図１中の上側）を覆うように配置される中蓋３を有している。
このコップ本体２は、全体が有底の略円筒状を成し、底部から開口側にかけて僅かにその径が長くなるように形成されている。
したがって、このコップ本体２の開口を覆うように配置される中蓋３は、平面側から見て、全体が略円形を成すように形成されている。
また、トレーニングコップ１は、図１に示すように、この中蓋３に対して開閉可能に配置される上蓋５を有している。
【００１９】
そして、中蓋３とコップ本体２の開口側とは、一方側に設けられている雄ねじと、他方側に設けられている雌ねじとを締める方向に移動させることで、中蓋３がコップ本体２に固定されると共に、これらのネジを緩める方向に移動させることで、中蓋３をコップ本体２から取り外すことが可能な構成となっている。
すなわち、トレーニングコップ１の利用者等は、コップ本体２の開口側から飲料をコップ本体２内に収容させた後に、ネジで固定することで、その開口側を中蓋３で確実に覆うことができる構成となっている。
【００２０】
図２に示すように、中蓋３には、乳幼児等が飲料を飲む練習をする際に、上下の口唇により挟むための飲み口部３２が外方に突出するように形成されている。
また、中蓋３には、図２に示すように，内部の飲料を飲む乳幼児等が、その手でつかみ、保持するためのハンドル３１が、例えば、２つ形成されている。この２つのハンドル３１、３１は、それぞれ、乳幼児等がつかみ易いように、コップ本体２から離間する方向に突出すると共に、やや湾曲した形状となっている。
また、ハンドル３１，３１は、略円形状を成す中蓋３の直径方向の両側に配置され、乳幼児等が飲み口部３２にその口を当接させたときに、両手で持ちやすい位置に形成されている。
【００２１】
また、この中蓋３には、コップ本体２の開口と連接され、コップ本体２内に収容されている飲料を排出させるための開口部である例えば、中蓋開口部３３が形成されている。
そして、この中蓋開口部３３には、この中蓋開口部３３を開閉すると共に、中蓋開口部３３から排出される飲料の流量の増減を無段階で調整することができる開閉部である例えば、可動栓４が配置されている。
【００２２】
図３（ａ）に示すように、可動栓４は、全体が略円柱状と成っていると共に、その側面には、螺旋状の螺旋溝４１が形成されている。また、これに対応して中蓋３の中蓋開口部３３に、この螺旋溝４１が係合する溝係合部３３ａが形成されている（図４参照）。
このため、図２の矢印Ｒ１方向に可動栓４を回動させると、可動栓４が中蓋開口部３３に対して上下方向、すなわち図３（ａ）の矢印ｈ方向に移動する構成となっている。
すなわち、可動栓４は、中蓋開口部３３に対して、矢印ｈ方向に移動することで、中蓋開口部３３の溝係合部３３ａに対する螺旋溝４１の螺合状態を変化させる構成となっている。具体的には、可動栓４が矢印ｈの上方向に移動するにしたがい強く螺合する構成となっている。
また、図３（ａ）に示すように、可動栓４の下方側（可動栓４の装着時におけるコップ本体２側）には、可動栓４と中蓋開口部３３との隙間を密閉するリング状のパッキン４２が形成されている。
一方、中蓋３には、図５に示すように、可動栓４のパッキン４２が当接するパッキン当接リング３３ｃが溝係合部３３ａの下方側に形成されている。すなわち、可動栓４が移動して、このパッキン４２が、図５のパッキン当接リング３３ｃの下側（コップ本体２側）に当接することで、中蓋開口部３３が閉状態となるように構成されている。
【００２３】
また、溝係合部３３ａは、図４に示すように、飲み口部３２に対応する部分や飲み口部３２と対向する部分には、形成されておらず、中蓋開口部３３の全周に亘っては設けられていない。
したがって、飲料を中蓋開口部３３から飲み口部３２へ導く際に、溝係合部３３ａが、かかる飲料の流れを阻害することがなく、飲料が円滑に飲み口部３２へ導かれる構成となっている。また、このように溝係合部３３ａを形成しない部分は、飲料の流れを促進する空気孔の機能も発揮する構成となっている。
【００２４】
このように、本実施の形態では、パッキン４２が可動栓４の下側にあるので、可動栓４が下がることで、パッキン４２とパッキン当接リング３３ｃによる密閉状態が緩み中蓋開口部３３が開状態となる。また、可動栓４が上述のように下方向に移動し、その螺旋溝４１と中蓋開口部３３の溝係合部３３ａとの螺合状態が徐々に緩む構成となっている。
したがって、使用者がトレーニングコップ１を使用する際、可動栓４が閉状態のときは、可動栓４を回転させ、下方に下げて、飲み口部３２に口を配置し、飲料を飲むことができる。すなわち、使用者が飲料を飲む際に可動栓４が上方に突出して、可動栓４が使用者の飲む動作を邪魔し、妨げることがない。
【００２５】
また、この可動栓４には，図２に示すように、その上側（中蓋開口部３３への装着状態で上側）に、凸状の操作用つまみ４３が形成されている。
このため、トレーニングコップ１の使用者は、この操作用つまみ４３を指で持ち、矢印Ｒ１方向に可動栓４を回動させることで、可動栓４を中蓋３に対して上下方向に移動させることができる構成となっている。
この矢印は可動栓４の通常の使用時における移動範囲を示す可動範囲アイマークＲ２であり、詳細は後述する。
【００２６】
ところで、この可動栓４の側面に形成されている螺旋溝４１には、その表面から突出するように形成されている、図３（ａ）に示す上側ストッパ４４、４４が形成されている。
この上側ストッパ４４は、図３（ａ）に示すように、螺旋溝４１の上方に形成されている。
一方、中蓋開口部３３の溝係合部３３ａには、図４に示すように、内方に突出するように形成されたストッパ係合部３３ｂが設けられている。
【００２７】
したがって、使用者が中蓋開口部３３を閉塞状態（可動栓４のパッキン４２がパッキン当接リング３３ｃに当接している状態）にしている可動栓４を回転させ、下方に移動させて、中蓋開口部３３を開状態にする際、完全に可動栓４が下がり、これ以上下がらない最大開状態位置に至ると、可動栓４の上側ストッパ４４が、ストッパ係合部３３ｂに当接し、可動栓４の回転を止める構成となっている。
【００２８】
したがって、使用者が可動栓４を回転させ過ぎることを未然に防止することができる構成となっている。特に本実施の形態では、中蓋開口部３３を開状態とする際、可動栓４を上方に上げるのではなく，コップ本体２側に下げる構成となっているため、可動栓４がどの程度下がっているか使用者が把握し難い構成となっている。
このため、この上側ストッパ４４及びストッパ係合部３３ｂの当接により、使用者に、可動栓４が最も開状態に配置されたことを報知させる構成となっている。
【００２９】
このように、可動栓４の上側ストッパ４４と中蓋３のストッパ係合部３３ｂが、回転阻害部の一例となっている。
【００３０】
また、操作用つまみ４３には、操作用つまみ４３の突出している凸状部分を切り欠いた切り欠き部４３ａが形成されている。
そして、操作用つまみ４３の両側には、図２に示すように平面視で略半円形からなる凹状のつまみ用凹部４５ａ、４５ｂが形成されている。すなわち、使用者は、このつまみ用凹部４５ａ、４５ｂ内に、指を差し込むことで、操作用つまみ４３を保持する構成となっている。
【００３１】
また、この可動栓４に形成されている操作用つまみ４３の両側に形成されているつまみ用凹部４５ａ、４５ｂの大きさは、比較的小さく、それぞれ操作者の指が１本程度挿入可能な大きさとなっている。
そして、つまみ用凹部４５ａ、４５ｂは、図２に示すように、可動栓４の回転中心に近い位置に設けられ、操作用つまみ４３に比較的力を入れにくい構成となっている。
このため、操作者が操作用つまみ４３を操作する際に力を入れすぎ、操作用つまみ４３が上側ストッパ４４とストッパ係合部３３ｂとの係合を乗り越えたことを，操作者が気付かないという事態の発生を防止する構成となっている。
【００３２】
また、図３（ｂ）に示すように、可動栓４の螺旋溝４１の下側には、下側ストッパ４６、４６が形成されている。
したがって、使用者が中蓋開口部３３を開状態から閉塞状態にするため可動栓４を回転させて、可動栓４を上方に移動させ、可動栓４のパッキン４２がパッキン当接リング３３ｃの下側に当接するまで移動し、閉塞位置に到達させると、この下側ストッパ４６が、溝係合部３３ａのストッパ係合部３３ｂと当接し、使用者に閉塞位置に達したことを報知する構成となっている。
【００３３】
一方、上蓋５には、図２に示すように、全体が変形Ｕ字形を成す上蓋突起部５１が形成されている。
図６に示すように、上蓋突起部５１は、上蓋５の内面から突出するように形成されている。
【００３４】
また、操作用つまみ４３は、図２に示すように上蓋突起部５１の一部を収容することができる上述の切り欠き部４３ａを有している。
この上蓋突起部５１の一部は、使用者が可動栓４を回転させて、図３（ａ）のパッキン４２が図５のパッキン当接リング３３ｃの下側に当接し、中蓋開口部３３を閉塞する閉塞状態に可動栓４が配置されたときにのみ、図２の点線で示すように切り欠き部４３ａ内に収容される構成となっている。
このとき、上蓋突起部５１の他の部分は、図２の点線で示すように、つまみ用凹部４５ａ内に収容される構成となっている。
なお、図２に示す可動栓４の位置は、後述する図８（ａ）と同様の位置となっている。すなわち、このときの可動栓４の位置は、後述する図７（ａ）に示す中蓋開口部３３の完全な閉塞状態より開状態に移動しているが、依然、閉塞状態が維持される位置となっている。
【００３５】
すなわち、可動栓４が、中蓋開口部３３を閉塞する位置以外では、上蓋突起部５１の一部は、切り欠き部４３ａ内に収容されない構成となっている。そして、このように上蓋突起部５１が配置されるように、上蓋突起部５１は、変形Ｕ字形を成している。
【００３６】
一方、可動栓４が、上述の中蓋開口部３３を閉塞する状態に配置されないときは、上蓋５の上蓋突起部５１は、その一部が切り欠き部４３ａ内に配置されず、これがため、上蓋突起部５１は、操作用つまみ４３に当接することになる。
このとき、上蓋５は、これら上蓋突起部５１と操作用つまみ４３により、中蓋３を完全に覆うことができない構成となる。
【００３７】
逆に、上述のように可動栓４が中蓋開口部３３を閉塞する状態に配置されると、上蓋突起部５１は、操作用つまみ４３の切り欠き部４３ａとつまみ用凹部４５ａ内に収容される。
したがって、この場合は、上蓋突起部５１が操作用つまみ４３に当接せず、上蓋５は、中蓋３を完全に覆うことができる。
【００３８】
また、図２に示すように、上蓋５の内面側には、上蓋５が中蓋３を完全に覆ったときに、飲み口部３２を係合固定する飲み口係合部５２、５２が形成されている。
このため、上蓋５は、可動栓４が中蓋開口部３３を閉塞状態となったときにのみ、飲み口係合部５２、５２が飲み口部３２の一部と係合することで、中蓋３に固定することができる構成となっている。
【００３９】
このように、本実施の形態では、可動栓４が中蓋開口部３３を閉塞する位置に配置されたときにのみ、上蓋５が中蓋３を完全に覆い、上蓋５の飲み口係合部５２、５２が飲み口部３２の一部と係合固定される構成となっている。
したがって、使用者は、可動栓４が中蓋開口部３３を完全に閉塞する位置に配置せずに、上蓋５を閉めようとしても、上蓋５の上蓋突起部５１と操作用つまみ４３が当接する。そして、上蓋５の飲み口係合部５２、５２が飲み口部３２の一部を係合させることができない。このため、使用者は、可動栓４が中蓋開口部３３を完全に閉塞する位置に配置されていないことを認識することができる。
したがって、誤ってバッグ等内でトレーニングコップ１内の飲料が漏れ出すこと等を未然に防止することができる。
【００４０】
上述のように、上蓋突起部５１は、操作用つまみ４３の切り欠き部４３ａ以外の部分に当接するとき、阻害部の一例として機能し、切り欠き部４３ａは、その内側に上蓋突起部５１の一部が収容されたとき、被覆許容部の一例として機能する。
【００４１】
また、上述のように、可動栓４は、図２の矢印Ｒ１方向に回動することで、中蓋開口部３３に対して上下方向（図３（ａ）の矢印ｈ方向、図１の上下方向）に移動可能な構成となっていると共に、この移動によって、中蓋開口部３３から排出される飲料の流量が無段階で調整される構成となっている。
具体的には、可動栓４が下方に下がるに従い無段階に飲料の流量を増加させることができ、流量が最大となったときに、上述のように、可動栓４は、上側ストッパ４４とストッパ係合部３３ｂにより、その回転が停止させられる構成となっている。
【００４２】
ところで、図３（ａ）等に示すように、可動栓４の下には、使用者が可動栓４を中蓋開口部３３に取り付けるための下側操作用つまみ４７が形成されている。
この下側操作用つまみ４７は、図１の中蓋３がコップ本体２から取り外されているときに、操作者が、この下側操作用つまみ４７を操作し、可動栓４を回転させることで、可動栓４を溝係合部３３ａに螺着させやすい構成となっている。
特に、下側操作用つまみ４７は、可動栓４の上側に配置されている操作用つまみ４３に比べ大きく形成されている。このため、使用者が下側操作用つまみ４７を指で保持した場合、操作用つまみ４３よりも力を入れやすく、操作し易い構成となっている。
【００４３】
以下、可動栓４を操作することで飲料の流量を無段階に増加させる構成を詳細に説明する。
図７乃至図１０は、可動栓４の回転（下方向の移動）により、可動栓４のパッキン４２と中蓋３の溝係合部３３ａとの間の密閉状態が徐々に開状態に変化する状態を示す概略図である。
また、図２等に示す矢印Ｒ２は、上述のように、可動栓４の通常の使用時における移動範囲を示す可動範囲アイマークＲ２である。具体的には、可動範囲アイマークＲ２の矢印の基点位置で、可動栓４が中蓋開口部３３を閉塞している状態となり、他方の矢印の先端位置では、飲料の流量が最大となる。この移動範囲は、例えば、２１０°（度）となっている。
そして、この可動範囲アイマークＲ２は、その流量が多くなる位置に対応して、その幅が徐々に広くなる構成となっている。
また、図２に示すように、可動栓４の操作用つまみ４３の表面には、矢印Ｒ１方向に回動する操作用つまみ４３の回動位置を示す操作用つまみアイマーク４３ｂが形成されている。
この操作用つまみアイマーク４３ｂは、例えば、図２に示すように三角形を成している。
そして、矢印の基点位置では、上述の図３（ｂ）の下側ストッパ４６が溝係合部３３ａのストッパ係合部３３ｂと当接する位置となり、この位置では、両者が係合することで、可動栓４を操作する使用者にクリック感を感じさせることができる。したがって、使用者は、当該位置が閉塞位置にあることを知ることができる。
一方、矢印の先端位置では、上述の図３（ａ）の上側ストッパ４４が溝係合部３３ａのストッパ係合部３３ｂと当接することで可動栓４の更なる回転を止める構成となっている。
【００４４】
図７は、可動栓４が、可動範囲アイマークＲ２の矢印の基点位置（中蓋開口部３３の閉塞位置）に配置された状態を示している。
図７（ｂ）（ｃ）に示すように、可動栓４のパッキン４２が、パッキン当接リング３３ｃの下側に強く押しつけられている状態であり、中蓋３の中蓋開口部３３は完全に閉塞状態となっている。
したがって、可動栓４が図７の位置に配置されているときは、コップ本体２内の飲料が漏れ出すことがない。このため、使用者が上蓋５を閉めるときは、図２の上蓋突起部５１は、操作用つまみ４３の切り欠き部４３ａ及びつまみ用凹部４５ａ内に収容され、中蓋本体の飲み口部３２の一部を上蓋５の飲み口係合部５２に係合させ、上蓋５を中蓋３に固定することができる。
【００４５】
図８は、その（ａ）に示すように、可動栓４が、図７よりは開状態に回転方向に移動しているが、図８（ｂ）及び図８（ｃ）に示すように、未だパッキン４２が、パッキン当接リング３３ｃの下側と接触し、閉塞状態を保持している。
このため、本実施の形態では、図７と同様に、使用者が上蓋５を閉めるときは、図２の上蓋突起部５１は、操作用つまみ４３の切り欠き部４３ａ及びつまみ用凹部４５ａ内に収容される。そして、中蓋３の飲み口部３２の一部が上蓋５の飲み口係合部５２に係合させられ、使用者は、上蓋５を中蓋３に固定することができる。
なお、このときの可動栓４の位置は、上述の図２と同様である。
また、本実施の形態とは異なり、より安全性を考慮し、図８は、飲料が漏れ出すおそれがあるとして、図２の上蓋突起部５１は、操作用つまみ４３の切り欠き部４３ａ及びつまみ用凹部４５ａ内に収容されない構成とすることもできる。この場合は、上蓋５を中蓋３の飲み口部３２の一部に係合させることができない構成となり、使用者に可動栓４が十分に閉塞状態となっていないことを気づかせる構成となる。
【００４６】
図９は、その（ａ）に示すように、可動栓４が、図７の可動栓４の操作用つまみアイマーク４３ｂが指し示す位置より１４５°（度）開状態側に回転移動している。この場合は、図９（ｂ）及び図９（ｃ）に示すように、パッキン４２とパッキン当接リング３３ｃの下側等との接触が不十分となり、部分的に密閉状態が維持されない。
このため、コップ本体２内の飲料は、図９（ｂ）の矢印で示すように、適量、中蓋開口部３３から排出されることになる。すなわち、使用者が、飲料を飲むときは、図９（ａ）のように、可動栓４を回転させ、その回転程度を調整することで、その流量を使用者の所望の流量に調整することができる。
なお、図９の可動栓４の位置で、使用者が上蓋５を閉めようとしても、上蓋突起部５１が、操作用つまみ４３に当接し、閉めることができない状態である。
【００４７】
図１０は、その（ａ）に示すように、可動栓４が、図７の可動栓４の操作用つまみアイマーク４３ｂが指し示す位置より２１０°（度）開状態側に回転移動している。この場合は、図１０（ｂ）及び図１０（ｃ）に示すように、パッキン４２とパッキン当接リング３３ｃの下側とは、完全に離間し、飲料の中蓋開口部３３からの流量は最大となる。
このとき、図３（ａ）に示す可動栓４の上側ストッパ４４と、図４に示す中蓋開口部３３のストッパ係合部３３ｂが係合し、上述のように、その回転が阻害され停止される。
したがって、使用者が、さらに可動栓４を回転させ、可動栓４が中蓋３から抜け落ちるといったトラブル等が発生することを未然に防止することができる。
また、このときの流量は、約４．５ｍｌ／ｓとなっている。この流量は、本実施の形態に係るトレーニングコップ１を使用する月齢の乳幼児において、流れ出る量が多すぎず、むせることがない適切な値となっている。この値は、本発明の飲料容器の形状（すなわち、流量ノブ（操作用つまみ４３）の位置、その位置から流れ出る飲料、流れ出た飲料を使用者の口に誘導する飲み口の形状）において、本出願人が鋭意検討した結果、導き出した値である。
また、本実施の形態では、上述のように可動栓４をＲ１方向に回転させることで、０ｍｌ／ｓから約４．５ｍｌ／ｓまで無段階で流量調整することができる構成となっている。
【００４８】
以上のように、本実施の形態では、使用者が可動栓４の回転程度を調整することで、中蓋開口部３３から排出される飲料の流量を調整することができる。すなわち、図７乃至図１０では、可動栓４を０°、１４５°そして２１０°に移動させた場合について説明したが、本実施の形態では、これら以外の回転角度とすることもでき、使用者は所望の流量を選択することができる。
【００４９】
また、図２に示すように、本実施の形態では、上蓋５と中蓋３とは、蝶番６を介して連結されており、この蝶番６により上蓋５は中蓋３に対して開閉可能な構成となっている。
この蝶番６は、図２に示すように２つの軸を有している。すなわち、蝶番６と上蓋５とを回動可能に連結する第１の軸６ａと、蝶番６と中蓋３とを回動可能に連結する第２の軸６ｂである。
したがって、使用者が、上蓋５を中蓋３に対して開状態にすべく開くとき、２つの軸（第１の軸６ａ、第２の軸６ｂ）を支点として、開くので、上蓋５を中蓋３に対して、より広角度に開くことができる。
このように、上蓋５を２軸の蝶番６で開くことで、使用者がトレーニングコップ１を用いて、飲料を飲むときに、上蓋５が使用者の飲む動作を妨げることがない。また、上述のように、可動栓４が開状態では、中蓋３から突出方向に移動せず、沈む方向に移動することと相まって、使用者がより飲料を飲み易い構成としている。
【符号の説明】
【００５０】
１・・・トレーニングコップ、２・・・コップ本体、３・・・中蓋、４・・・可動栓、５・・・上蓋、６・・・蝶番、６ａ・・・第１の軸、６ｂ・・・第２の軸、３１・・・ハンドル、３２・・・飲み口部、３３・・・中蓋開口部、３３ａ・・・溝係合部、３３ｂ・・・ストッパ係合部、３３ｃ・・・パッキン当接リング、４１・・・螺旋溝、４２・・・パッキン、４３・・・操作用つまみ、４３ａ・・・切り欠き部、４３ｂ・・・操作用つまみアイマーク、４４・・・上側ストッパ、４５ａ、４５ｂ・・・つまみ用凹部、４６・・・下側ストッパ、５１・・・上蓋突起部、５２・・・飲み口係合部、Ｒ２・・・可動範囲アイマーク
【図１】
2014037241.tif 000003
【図２】
2014037241.tif 000004
【図３】
2014037241.tif 000005
【図４】
2014037241.tif 000006
【図５】
2014037241.tif 000007
【図６】
2014037241.tif 000008
【図７】
2014037241.tif 000009
【図８】
2014037241.tif 000010
【図９】
2014037241.tif 000011
【図１０】
2014037241.tif 000012